(57)【特許請求の範囲】
【請求項１】
第１太陽電池モジュール及び当該モジュールよりも棟側に配置される第２太陽電池モジュールを含む複数の太陽電池モジュールを屋根に取り付ける器具であって、
前記屋根の野地板上に敷設されるベースプレートと、
前記ベースプレート上において前記第１及び前記第２太陽電池モジュールに跨って設置され、前記各太陽電池モジュールを支持するベース金具と、
前記各太陽電池モジュールを前記ベース金具に固定する押え金具と、
を備え、
前記ベース金具は、
前記第１太陽電池モジュールの棟側端部を支持する第１支持部と、
前記第１支持部よりも高く形成され、前記第２太陽電池モジュールの軒側端部を支持する第２支持部と、
前記ベースプレートに当接し、前記野地板に固定される一対の脚部と、
前記各脚部上に立設した前記第１及び前記第２支持部をそれぞれ含む一対の立壁部と、
前記各立壁部の前記第２支持部同士を連結する連結部と、
を有する、太陽電池モジュールの取り付け器具。
【請求項２】
前記第１支持部には、前記第１太陽電池モジュールの棟側端部に設置された第１フレームが載置され、
前記第１支持部と前記第２支持部の高さの差は、前記第１フレームの高さ以上である、請求項１に記載の太陽電池モジュールの取り付け器具。
【請求項３】
前記押え金具を前記ベース金具に固定するボルトを備え、
前記押え金具及び前記ベース金具の前記連結部には、前記ボルトが挿通される貫通孔が形成されている、請求項１又は２に記載の太陽電池モジュールの取り付け器具。
【請求項４】
前記押え金具は、
前記第１太陽電池モジュールの棟側端部に設置された第１フレームの上端部を押える第１押え部と、
前記第２太陽電池モジュールの軒側端部に設置された第２フレームの下部を押える第２押え部と、
を有する、請求項３に記載の太陽電池モジュールの取り付け器具。
【請求項５】
前記ベース金具は、前記第１及び前記第２太陽電池モジュールに跨って複数設置され、
前記押え金具は、前記第１押え部を有する第１押え金具、及び前記第２押え部を有する第２押え金具により構成され、
前記第１押え金具は、前記各ベース金具に跨って設けられる、請求項４に記載の太陽電池モジュールの取り付け器具。
【請求項６】
前記第２太陽電池モジュールの軒側端部に取り付けられ、前記押え金具に固定されるカバーを備える、請求項１〜５のいずれか１項に記載の太陽電池モジュールの取り付け器具。
【請求項７】
前記第２太陽電池モジュールの軒側端部に設置された第２フレームは、上部が下部よりもモジュールの外側に張り出した形状を有し、
前記連結部は、棟側から軒側に向かって下方に傾斜している、請求項１〜６のいずれか１項に記載の太陽電池モジュールの取り付け器具。
【請求項８】
前記太陽電池モジュールの棟側端部を支持する支持部を含む一対の棟端立壁部を有し、前記ベースプレート上において当該モジュールよりも棟側に位置する屋根材の下に設置される棟端ベース金具と、
当該モジュールの棟側端部を前記棟端ベース金具に固定する棟端押え金具と、
を備え、
前記各棟端立壁部のうち前記屋根材の下に設置される棟側部分には、前記支持部よりも高い棟側壁部が形成されている、請求項１〜７のいずれか１項に記載の太陽電池モジュールの取り付け器具。
【請求項９】
第１太陽電池モジュール及び当該モジュールよりも棟側に配置される第２太陽電池モジュールを含む複数の太陽電池モジュールと、
請求項１〜８のいずれか１項に記載の太陽電池モジュールの取り付け器具と、
を備え、
前記各太陽電池モジュールは、前記取り付け器具によって屋根材が段葺きされた屋根に取り付けられている、太陽光発電装置。
【請求項１０】
前記取り付け器具は、前記第２太陽電池モジュールの軒側端部に取り付けられるカバーを備え、
前記各太陽電池モジュールの棟軒方向長さと前記カバーの棟軒方向長さとを足した長さは、前記屋根材の棟軒方向ピッチの整数倍と略同一である、請求項９に記載の太陽光発電装置。
【請求項１１】
前記各太陽電池モジュールの棟軒方向長さと前記カバーの棟軒方向長さとを足した長さは、前記屋根材の棟軒方向ピッチの約２倍である、請求項１０に記載の太陽光発電装置。
【発明の詳細な説明】
【技術分野】
【０００１】
本開示は、太陽電池モジュールの取り付け器具及び太陽光発電装置に関する。
【背景技術】
【０００２】
従来、複数の太陽電池モジュールを屋根に固定して太陽光発電装置を構築するための種々の取り付け構造が知られている。例えば、特許文献１には、太陽電池モジュールを構成するフレームの外側に張り出した鍔部を断面略Ｕ字状の押え金具で押え付けて、屋根に設置された架台フレーム上に複数の太陽電池モジュールを固定する取り付け構造が開示されている。
【先行技術文献】
【特許文献】
【０００３】
【特許文献１】特開２０１４−１９４１３３号公報
【発明の概要】
【発明が解決しようとする課題】
【０００４】
ところで、屋根に取り付けられる太陽光発電装置には、例えば太陽電池モジュールと屋根材の一体感を高めて屋根の意匠性を向上させることが求められている。本開示の目的は、平板瓦等の屋根材が段葺きされた屋根において屋根材の段葺き形状に合わせて太陽電池モジュールを取り付けることができ、施工性にも優れた取り付け器具及び太陽光発電装置を提供することである。
【課題を解決するための手段】
【０００５】
本開示の一態様である太陽電池モジュールの取り付け器具は、屋根材が段葺きされた屋根に、第１太陽電池モジュール及び当該モジュールよりも棟側に配置される第２太陽電池モジュールを含む複数の太陽電池モジュールを取り付ける器具であって、屋根の野地板上に敷設されるベースプレートと、ベースプレート上において第１及び第２太陽電池モジュールに跨って設置され、各太陽電池モジュールを支持するベース金具と、各太陽電池モジュールをベース金具に固定する押え金具とを備え、ベース金具は、第１太陽電池モジュールの棟側端部を支持する第１支持部と、第１支持部よりも高く形成され、第２太陽電池モジュールの軒側端部を支持する第２支持部とを有する。
【０００６】
本開示の一態様である太陽光発電装置は、第１太陽電池モジュール及び当該モジュールよりも棟側に配置される第２太陽電池モジュールを含む複数の太陽電池モジュールと、上記取り付け器具とを備え、各太陽電池モジュールは、取り付け器具によって屋根材が段葺きされた屋根に取り付けられている。
【発明の効果】
【０００７】
本開示の一態様によれば、屋根材が段葺きされた屋根において太陽電池モジュールと屋根材の一体感があり、施工性にも優れた太陽光発電装置を提供することができる。
【図面の簡単な説明】
【０００８】
【図１】実施形態の一例である太陽光発電装置を示す図である。
【図２】実施形態の一例である太陽電池モジュールの断面図である。
【図３】実施形態の一例である取り付け器具の全体構成を示す図である。
【図４】実施形態の一例であるベースプレートを野地板上に敷設した様子を示す図である。
【図５】図３中のＡＡ線断面図である。
【図６】図５において、各金具を分離した状態を示す図である。
【図７】実施形態の一例であるベース金具、第１押え金具、第２押え金具、及びカバーを示す分解斜視図である。
【図８】図３中のＢＢ線断面図である。
【図９】実施形態の一例である棟端ベース金具、及び棟端押え金具を示す分解斜視図である。
【図１０】図３中のＣＣ線断面図である。
【図１１】実施形態の一例である軒端ベース金具、第２押え金具、カバー、及び軒カバーを示す分解斜視図である。
【発明を実施するための形態】
【０００９】
以下、実施形態の一例について添付図面を参照しながら詳細に説明する。
本明細書において「略＊＊」との記載は、略同一を例に説明すると、完全に同一はもとより実質的に同一と認められる場合を含む意図である。
【００１０】
本明細書では、取り付け器具が屋根に固定された状態で、屋根の野地板に垂直な方向を「上下方向」という。実施形態の説明で用いる図面には、屋根の棟軒方向を矢印α、桁方向を矢印β、上下方向を矢印γで示す。太陽電池モジュールにおいて、モジュールフレームの「上下方向」とは太陽電池パネルの厚み方向に沿った方向を意味し、太陽電池パネルの受光面側が「上」である。また、平面視とは、太陽電池パネルの受光面に垂直な方向から当該パネル等を見た様子を意味する。ここで、太陽電池パネルの受光面とは太陽光が主に入射する面であり、パネルに入射する太陽光の５０％超過〜１００％が受光面から入射する。
【００１１】
図１は、実施形態の一例である太陽光発電装置１０を示す図である。
図１に例示するように、太陽光発電装置１０は、複数の太陽電池モジュール１１と、太陽電池モジュールの取り付け器具２０（以下、単に「取り付け器具２０」という）とを備える。各太陽電池モジュール１１は、取り付け器具２０によって屋根材２が段葺きされた屋根１に取り付けられている。屋根材２は、太陽光発電装置１０の周囲に配置され、太陽光発電装置１０の下には配置されていない。即ち、太陽光発電装置１０は屋根材２を介することなく屋根１の野地板３に固定される。屋根材２は、例えば平板陶器瓦であるが、屋根材２はこれに限定されない。図１に示す例では、寄棟屋根である屋根１の台形部分に太陽光発電装置１０が設置されている。なお、太陽光発電装置１０は屋根１の三角形部分に設置されてもよく、方形屋根、切妻屋根等に設置されてもよい。
【００１２】
太陽光発電装置１０は、屋根１の桁方向に沿った太陽電池モジュール１１の列を複数備える。太陽電池モジュール１１は、平面視略矩形形状を呈することが好適である。本実施形態では、各太陽電池モジュール１１の短辺が棟軒方向に略平行であり、各列を構成する複数の太陽電池モジュール１１の短辺同士が略接触した状態で各モジュールが屋根１に配置されている。桁方向に延びる列を構成する太陽電池モジュール１１の数は、例えば屋根１の軒側に位置する列で多くなり、また一部の隣り合う列で同数である。なお、太陽光発電装置１０を構成する太陽電池モジュール１１の数、配列等は特に限定されない。
【００１３】
太陽光発電装置１０は、屋根材２の段葺き形状に合わせて太陽電池モジュール１１が配置された構造を有する。即ち、複数の太陽電池モジュール１１は、屋根材２と同様に段葺き状（階段状）に取り付けられている。複数の太陽電池モジュール１１には、太陽電池モジュール１１Ａ（第１太陽電池モジュール）と、当該モジュールよりも棟側に配置される太陽電池モジュール１１Ｂ（第２太陽電池モジュール）が含まれる。ここで、太陽電池モジュール１１Ａ，１１Ｂの用語は、２つの太陽電池モジュールについての相対的な位置関係を示すものである。即ち、太陽光発電装置１０に設けられる複数の太陽電池モジュール１１のうち、棟軒方向に隣り合う任意の２枚の太陽電池モジュール１１において、軒側に配置される方が太陽電池モジュール１１Ａ、棟側に配置される方が太陽電池モジュール１１Ｂである。
【００１４】
太陽光発電装置１０では、太陽電池モジュール１１Ａ，１１Ｂの間（以下、「中間部」という場合がある）に、屋根材２の段葺き形状に対応する段差が設けられている。詳しくは後述するが、取り付け器具２０は太陽電池モジュール１１Ｂの軒側端部に取り付けられるカバー７０を備える。カバー７０は、屋根材２の軒側垂れ４を模擬した外観形状を呈することが好ましく、例えば太陽電池モジュール１１Ｂと桁方向に隣接配置される屋根材２の軒側垂れ４の位置に合わせて取り付けられる。
【００１５】
太陽電池モジュール１１は、屋根材２の棟軒方向ピッチＰ2に対応する寸法を有し、当該ピッチＰ2に合せて取り付けられることが好適である。本実施形態では、太陽電池モジュール１１の棟軒方向長さ、即ち短辺方向長さが、屋根材２の棟軒方向ピッチＰ2よりもやや短く設定されている。そして、各太陽電池モジュール１１の棟軒方向長さ（短辺方向長さ）とカバー７０の棟軒方向長さ（幅）とを足した長さが、屋根材２の棟軒方向ピッチＰ2の整数倍と略同一である。ここで、屋根材２の棟軒方向ピッチＰ2とは、屋根材２（軒側屋根材）の軒側垂れ４から当該屋根材２の棟側に隣接配置される屋根材２（棟側屋根材）の軒側垂れ４までの棟軒方向に沿った長さを意味する。
【００１６】
太陽電池モジュール１１及びカバー７０の棟軒方向長さを屋根材２の棟軒方向ピッチＰ2に適合させることで、太陽光発電装置１０と屋根材２の一体感が高まり、太陽光発電装置１０が取り付けられた屋根１の意匠性が向上する。太陽電池モジュール１１の棟軒方向長さとカバー７０の棟軒方向長さとを足した長さは、好ましくは屋根材２の棟軒方向ピッチＰ2の約２倍又は３倍であり、より好ましくは約２倍である。この場合、屋根１の意匠性が向上することに加えて、例えば屋根１の端まで太陽電池モジュール１１を設置し易くなる。即ち、太陽電池モジュール１１の設置面積を増やすことが可能である。
【００１７】
図２は、太陽電池モジュール１１の断面図である。
図２に例示するように、太陽電池モジュール１１は、太陽電池パネル１２と、当該パネルの端縁部に設置されたモジュールフレーム１３とを有する。太陽電池パネル１２は、例えば複数の太陽電池セルがガラス板等の保護部材で挟持された構造を有する。太陽電池パネル１２は、平面視略矩形形状を呈することが好適である。当該パネルにモジュールフレーム１３が設置された太陽電池モジュール１１も、上述の通り平面視略矩形形状を呈することが好ましい。
【００１８】
モジュールフレーム１３は、太陽電池パネル１２の端縁部を保護し、太陽電池モジュール１１の屋根１への固定に利用される。モジュールフレーム１３は、太陽電池パネル１２の各長辺及び各短辺に沿って設置される複数のフレームからなり、コーナーピース等により互いに接続されて太陽電池パネル１２の四方を囲むことが好適である。モジュールフレーム１３を構成する各フレームは、例えばアルミニウム等の金属材料を押出成形して得られる長尺状の部材である。本実施形態では、太陽電池モジュール１１の棟側端部に設置されるフレーム１３ａ（第１フレーム）と、軒側端部に設置されるフレーム１３ｂ（第２フレーム）とで、フレーム下部の形状が異なっている。
【００１９】
フレーム１３ａは、例えば太陽電池パネル１２の裏側に配置される断面略Ｃ字状の本体部１４ａと、本体部１４ａの上部から外側に張り出した断面略Ｕ字状の鉤部１５ａと、本体部１４ａの下部から下方に延出した断面略Ｌ字状の鉤部１７ａとを有する。即ち、フレーム１３ａは上部が下部よりもモジュールの外側に張り出した形状を有し、太陽電池パネル１２の端は本体部１４ａよりも外側に位置している。断面略Ｕ字状の鉤部１５ａは、本体部１４ａの上部から開口部をモジュールの内側に向けた状態で外側に張り出し、太陽電池パネル１２の端縁部を挿入可能な内溝１６ａを形成している。なお、フレーム１３ａの形状はこれに限定されない。例えば、本体部１４ａは略角柱形状であってもよい。
【００２０】
フレーム１３ｂは、本体部１４ｂ、及び鉤部１５ｂ，１７ｂを有し、フレーム１３ｂの上部が下部よりもモジュールの外側に張り出している点で、フレーム１３ａと共通する。一方、フレーム１３ａ，１３ｂでは、本体部１４ａ，１４ｂに対する鉤部１７ａ，１７ｂの向きが互いに異なっている。鉤部１７ａは、本体部１４ｂの外側から下方に延び、途中でモジュールの内側に折れ曲がって断面略Ｌ字状に形成されている。他方、鉤部１７ｂは、本体部１４ｂの内側から下方に延び、途中でモジュールの外側に折れ曲がって断面略Ｌ字状に形成されている。このため、フレーム１３ａの下部には内側に向かって開口した内溝１８ａが形成され、フレーム１３ｂの下部には外側に向かって開口した外溝１８ｂが形成される。
【００２１】
本実施形態では、フレーム１３ｂの外溝１８ｂが太陽電池モジュール１１のベース金具３０への固定に利用される。他方、フレーム１３ａの内溝１８ａは当該固定に利用されない。ゆえに、フレーム１３ａは、例えば本体部１４ａの上下方向長さを本体部１４ｂよりも長くしてフレーム１３ａ，１３ｂの上下方向長さを揃え、鉤部１７ａを有さない構造としてもよい。
【００２２】
以下、図３〜図１１を参照しながら、実施形態の一例である取り付け器具２０について詳細に説明する。図３は、取り付け器具２０の全体構成を示す図である。図３では、説明の便宜上、太陽電池モジュール１１Ａ，１１Ｂが３種類のベース金具（ベース金具３０、棟端ベース金具１００、軒端ベース金具２００）で支持された状態を図示している。
【００２３】
図３に例示するように、取り付け器具２０は、太陽電池モジュール１１Ａ，１１Ｂを含む複数の太陽電池モジュール１１を屋根１に取り付ける器具であって、屋根１の野地板３上に敷設されるベースプレート２１を備える。図３に示す例では、１枚の太陽電池モジュール１１に対して１枚のベースプレート２１が設けられている。ベースプレート２１は、例えば金属製の板状部材であって、野地板３との間に屋根材２を介在させることなく野地板３に直接固定される。なお、ベースプレート２１と野地板３との間には防水シート等が設けられていてもよい。ベースプレート２１は略矩形形状を有し、長辺方向が屋根１の桁方向に沿うように野地板３上に敷設される。
【００２４】
取り付け器具２０は、ベースプレート２１上において太陽電池モジュール１１Ａ，１１Ｂに跨って設置され、当該各モジュールを支持するベース金具３０を備える。また、取り付け器具２０は、太陽電池モジュール１１Ａ，１１Ｂをベース金具３０に固定する押え金具５０を備える。ベース金具３０は、例えば太陽電池モジュール１１Ａの下に配置されるベースプレート２１の棟側端部又はその近傍において、屋根１の桁方向に間隔をあけて２つ設置される。
【００２５】
ベース金具３０は、太陽電池モジュール１１Ａの棟側端部を支持する第１支持部３４と、第１支持部３４よりも高く形成され、太陽電池モジュール１１Ｂの軒側端部を支持する第２支持部３５とを有する。詳しくは後述するが、第１支持部３４及び第２支持部３５によってベース金具３０の棟軒方向に段差を設けることで、太陽電池モジュール１１Ａ，１１Ｂを段葺き状に配置することが可能となる。
【００２６】
押え金具５０は、太陽電池モジュール１１Ａ，１１Ｂの長辺方向に延びた長尺状の部材であって、２つのベース金具３０に跨って設置されることが好適である。本実施形態では、押え金具５０が第１押え金具５１及び第２押え金具５２（後述の図５等参照）により構成されている。第１押え金具５１は、第２押え金具５２よりも長く、２つのベース金具３０に跨って設置される。第２押え金具５２は１つの第１押え金具５１に対して２つ設けられ、各ベース金具３０にそれぞれ固定される。
【００２７】
取り付け器具２０は、上述の通り太陽電池モジュール１１Ｂの軒側端部に取り付けられるカバー７０を備える。カバー７０は、押え金具５０（第２押え金具５２）に固定されることが好適であり、押え金具５０を介してベース金具３０に固定される。図３に示す例では、押え金具５０の長さが太陽電池モジュール１１Ａ，１１Ｂの長辺方向長さと略同一であり、各々の長手方向端部の位置が互いに一致している。また、カバー７０の長さは押え金具５０の長さと略同一であり、各々の長手方向端部の位置は互いに一致している。
【００２８】
取り付け器具２０は、太陽電池モジュール１１Ｂの棟側端部を支持する棟端ベース金具１００と、当該モジュールの棟側端部を棟端ベース金具１００に固定する棟端押え金具１２０とを備えることが好適である。棟端ベース金具１００は、太陽光発電装置１０を構成する太陽電池モジュール１１の棟側端部のうち、その棟側にモジュールが配置されない部分を支持する。
【００２９】
棟端ベース金具１００は、例えば太陽電池モジュール１１Ｂの下に配置されるベースプレート２１の棟側端部又はその近傍において、屋根１の桁方向に間隔をあけて２つ設置される。棟端押え金具１２０は、太陽電池モジュール１１Ｂの長辺方向に延びた長尺状の部材であって、２つの棟端ベース金具１００に跨って設置されることが好適である。図３に示す例では、棟端押え金具１２０の長さが太陽電池モジュール１１Ｂの長辺方向長さと略同一であり、各々の長手方向端部の位置が互いに一致している。
【００３０】
取り付け器具２０は、太陽電池モジュール１１Ａの軒側端部を支持する軒端ベース金具２００と、当該モジュールの軒側端部を軒端ベース金具２００に固定する第２押え金具５２とを備えることが好適である。軒端ベース金具２００は、太陽光発電装置１０を構成する太陽電池モジュール１１の軒側端部のうち、その軒側にモジュールが配置されない部分を支持する。軒端ベース金具２００には専用の押え金具を用いてもよいが、第２押え金具５２を用いることで、例えば部品の共通化を図り製造コストを削減することができる。
【００３１】
軒端ベース金具２００は、例えば太陽電池モジュール１１Ａの下に配置されるベースプレート２１の軒側端部又はその近傍において、屋根１の桁方向に間隔をあけて２つ設置される。第２押え金具５２は、２つの軒端ベース金具２００に跨って設置される。本実施形態では、１枚の太陽電池モジュール１１Ａが２つのベース金具３０と２つの軒端ベース金具２００によって支持され、また１枚の太陽電池モジュール１１Ｂが２つのベース金具３０と２つの棟端ベース金具１００によって支持されている。
【００３２】
取り付け器具２０は、太陽電池モジュール１１Ａの軒側端部に取り付けられるカバー７０を備えることが好適である。カバー７０は、太陽電池モジュール１１Ａ，１１Ｂの間である中間部の場合と同様に、第２押え金具５２を介して軒端ベース金具２００に固定される。さらに、取り付け器具２０は、カバー７０の下に設けられる軒カバー２２０を備えることが好適である。軒カバー２２０は、カバー７０と略同一の長さを有する長尺状の部材であって、カバー７０の下から野地板３までの隙間を覆い、太陽光発電装置１０及び屋根１の意匠性を向上させる。
【００３３】
図４は、ベースプレート２１を野地板３上に敷設した様子を示す図である。
図４に例示するように、太陽電池モジュール１１の下には複数のベースプレート２１が配置され、各ベースプレート２１上に上述のベース金具がそれぞれ設けられる。ベースプレート２１上には、例えば各ベース金具の取り付け位置を示す目印（図示せず）が形成されている。各ベース金具は野地板３上に直接固定することも可能であるが、ベースプレート２１を用いることで各ベース金具の位置合わせが容易になり施工性が向上する。
【００３４】
ベースプレート２１は、屋根１の軒側の桁方向一方側（以下、「左側」とする）から野地板３上に配置される。左側に配置されるベースプレート２１ａ上には、桁方向他方側（以下、「右側」とする）に隣接配置されるベースプレート２１ｃの一部が重ねられる。また、ベースプレート２１ａ上には、棟側に隣接配置されるベースプレート２１ｂの一部が重ねられる。このようにして、ベースプレート２１は軒側の左から棟側の右に向かって順に設置される。ベースプレート２１の設置は、簡便で精度良く行うことができる。なお、ベースプレート２１ａ，２１ｂ，２１ｃは、太陽電池モジュール１１の場合と同様に相対的な位置関係を示すものであり、いずれも同じプレートを使用することができる。
【００３５】
ベースプレート２１には、例えば浮き止め２２，２３が設けられている。浮き止め２２，２３はいずれもベースプレート２１の棟側端部において、浮き止め２２がベースプレート２１の長辺方向中央部に、浮き止め２３が長辺方向端部（右側）にそれぞれ配置される。図４に示す例では、最も軒側に敷設されるベースプレート２１のみに３つ目の浮き止め２４が設けられている。浮き止め２４は、ベースプレート２１の軒側端部において長辺方向端部（右側）に配置される。
【００３６】
浮き止め２２，２３，２４は、ベースプレート２１との間に、当該プレートの上に重ねられるベースプレート２１を挿し込み可能な隙間を有する。例えば、ベースプレート２１ａ上に重ねられるベースプレート２１ｃの端部は浮き止め２３，２４によって、またベースプレート２１ｂの端部は浮き止め２２，２３によって、それぞれ上方に浮き上がらないように押えられる。なお、ベースプレート２１上には図示しない防水テープ、防水パッキン等が設けられていてもよい。
【００３７】
図５〜図７は、太陽電池モジュール１１Ａの棟側端部及び太陽電池モジュール１１Ｂの軒側端部の取り付け構造（中間部の取り付け構造）を示す図である。図５は、図３中のＡＡ線断面図であって、太陽電池モジュール１１Ａ，１１Ｂに跨って設置されるベース金具３０、及び当該金具に固定される押え金具５０等の断面形状を示す。図６は各金具を太陽電池モジュール１１Ａ，１１Ｂから取り外して分離した状態を示す断面図、図７は各金具の分解斜視図である。
【００３８】
図５〜図７に例示するように、ベース金具３０は、ベースプレート２１に当接し、野地板３に固定される一対の脚部３１と、各脚部３１上に立設した第１支持部３４及び第２支持部３５をそれぞれ含む一対の立壁部３２とを有することが好適である。第１支持部３４は立壁部３２の軒側部分に形成された壁部であり、第２支持部３５は立壁部３２の棟側部分に形成された第１支持部３４よりも高い壁部である。さらに、ベース金具３０は、各立壁部３２を連結する連結部３３を有することが好適である。
【００３９】
脚部３１は、例えば棟軒方向に長い平坦な板状の部分であって、ベースプレート２１上に密接した状態で配置される。一対の脚部３１は互いに異なる形状、寸法であってもよいが、好ましくは互いに略同一の形状、寸法を有する。本実施形態では、ネジ４２が挿通される貫通孔４１が各脚部３１に形成されている。貫通孔４１は、各脚部３１の棟軒方向に間隔をあけて２つずつ形成される。ネジ４２には、例えばタッピンネジが用いられる。ネジ４２は、ベースプレート２１を貫通して野地板３に固定される。これにより、脚部３１（ベース金具３０）は、野地板３との間にベースプレート２１を介在させた状態で野地板３に直接固定される。
【００４０】
立壁部３２は、脚部３１に対して略垂直に形成されることが好適である。この場合、立壁部３２が野地板３に対して略垂直に配置されるため、立壁部３２にかかる太陽電池モジュール１１Ａ，１１Ｂの荷重が野地板３に対して略垂直に伝わり、ベース金具３０の耐荷重性が向上する。立壁部３２は、上述の通り高さが異なる２つの壁部（第１支持部３４及び第２支持部３５）を含む。各支持部は、いずれも脚部３１に対して略垂直に形成されることが好ましい。立壁部３２の棟軒方向長さは、例えば脚部３１の棟軒方向長さと略同一である。
【００４１】
第１支持部３４には、太陽電池モジュール１１Ａの棟側端部に設置されたフレーム１３ａが載せられることが好ましく、第１支持部３４はフレーム１３ａを支持する。第２支持部３５には太陽電池モジュール１１Ｂの軒側端部に設置されたフレーム１３ｂが載せられることが好ましく、第２支持部３５はフレーム１３ｂを支持する。なお、一対の立壁部３２の形状、寸法は互いに略同一である。
【００４２】
第１支持部３４と第２支持部３５の高さの差は、第１支持部３４に載せられるフレーム１３ａの高さ以上であることが好ましい。この場合、太陽電池モジュール１１Ａ，１１Ｂの段差が明確に形成され、段葺きされた屋根材２との一体感が高まる。より詳しくは、第２支持部３５のフレーム１３ｂが載せられる部分の高さ（ｈ35）が、第１支持部３４のフレーム１３ａが載せられる部分の高さ（ｈ34）より、少なくともフレーム１３ａの高さ（ｈ13a）の分だけ高いことが好ましい。例えば、高さ（ｈ34）と高さ（ｈ35）の差は屋根材２の軒側垂れ４の高さと略同一である。ここで、高さ（ｈ34）とは、ベース金具３０の下端から第１支持部３４のフレーム１３ａが載せられる部分の最も高い位置までの長さを意味する。高さ（ｈ35）とは、ベース金具３０の下端から第２支持部３５のフレーム１３ｂが載せられる部分の最も高い位置までの長さを意味する。
【００４３】
第１支持部３４は、フレーム１３ａが嵌る凹部３６を有することが好適である。凹部３６は、第１支持部３４の上端部に形成された窪みであって、例えばフレーム１３ａの棟軒方向の移動を防止し、フレーム１３ａの位置決めを容易にする。本実施形態では、凹部３６の底にあたる部分に複数の突起３７が形成されている。そして、フレーム１３ａは凹部３６に嵌め込まれ、突起３７上に載せられる。突起３７は、例えばフレーム１３ａの底に当接し、太陽電池モジュール１１Ａからベースプレート２１につながる導通経路を形成する。即ち、突起３７はアース端子として機能する。また、第２支持部３５のフレーム１３ｂが載せられる部分にも複数の突起３８が形成されている。
【００４４】
連結部３３は、各第２支持部３５の上端部同士を連結することが好適である。連結部３３は、一対の脚部３１及び一対の立壁部３２を有するベース金具３０を一体化し、ベース金具３０の耐荷重性、施工性を向上させる。また、連結部３３は、後述するように押え金具５０が締結される部分として機能する。連結部３３は、例えば各第２支持部３５の上端部において、各第２支持部３５の軒側端部からフレーム１３ｂが載せられる部分、即ち突起３８が形成された部分に亘る範囲に形成される。連結部３３は、棟側端部に形成された壁部４０を有することが好ましい。壁部４０は、連結部３３の軒側端部を下方に折り曲げて形成され、連結部３３の耐荷重性を向上させる。
【００４５】
本実施形態では、連結部３３により連結される各第２支持部３５の軒側部分の高さが、軒側端部に近づくほど次第に低くなっている。そして、連結部３３は棟側から軒側に向かって下方に傾斜している。連結部３３を傾斜させることで、例えば太陽電池モジュール１１を取り外す必要が生じた場合に後述するボルト４３の取り外しが容易になる。本実施形態では、上述の通りフレーム１３ｂの上部が下部よりも外側に張り出している。このため、連結部３３を野地板３と略平行に設けると、ボルト４３の取り外しに使用される工具がフレーム１３ｂと干渉する場合がある。なお、かかる干渉を防止するために、ボルト４３とフレーム１３ｂの距離を大きくすることも考えられるが、その場合、太陽電池モジュール１１の設置面積が減少する可能性がある。
【００４６】
取り付け器具２０は、押え金具５０をベース金具３０に固定するボルト４３を備えることが好適である。そして、押え金具５０の第１押え金具５１及び第２押え金具５２に、ボルト４３が挿通される貫通孔５５，６０（図６，７参照）がそれぞれ形成されている。また、ベース金具３０の連結部３３にもボルト４３が挿通される貫通孔が形成されている。連結部３３の貫通孔は、バーリング加工により形成されることが好ましく、また施工性向上等の観点からボルト４３を固定可能なネジ孔３９（図６，７参照）であることが好ましい。
【００４７】
押え金具５０は、上述の通りベース金具３０に太陽電池モジュール１１Ａ，１１Ｂを固定するための金具であって、太陽電池モジュール１１Ａのフレーム１３ａ及び太陽電池モジュール１１Ｂのフレーム１３ｂをそれぞれ押える。押え金具５０は、太陽電池モジュール１１Ａ，１１Ｂに跨って設置されている。押え金具５０は、カバー７０と共に、太陽電池モジュール１１Ａ，１１Ｂの間からベース金具３０等が見えることを防止し、太陽光発電装置１０の意匠性を高める役割も果たす。
【００４８】
押え金具５０は、フレーム１３ａの上端部を押える押え部５４（第１押え部）と、フレーム１３ｂの下部を押える押え部５８（第２押え部）とを有することが好適である。本実施形態では、押え部５４を有する第１押え金具５１、及び押え部５８を有する第２押え金具５２により押え金具５０が構成されている。上述の通り、第１押え金具５１は２つのベース金具３０に跨って配置される長尺状の部材である。他方、第２押え金具５２は長さが第１押え金具５１よりも短く、例えば１つの第１押え金具５１に対して２つ設けられ、各ベース金具３０にそれぞれ固定される。
【００４９】
第１押え金具５１は、連結部３３上に設置されるベース部５３と、ベース部５３の軒側端部から軒側に延出した押え部５４とを有することが好適である。ここで、押え部５４とはフレーム１３ａの上端部に当接する部分を意味する。ボルト４３が挿通される貫通孔５５は、ベース部５３に形成されている。ベース部５３は、例えば連結部３３の軒側端部に対応する部分で上方に小さく折れ曲がり、その軒側端部が太陽電池モジュール１１Ａの受光面と略平行に延びている。押え部５４は、ベース部５３の軒側端部と同様に、太陽電池モジュール１１Ａの受光面と略平行に延びる。押え部５４は、フレーム１３ａの上端部に密接可能な形状を有することが好ましい。押え部５４は、ベース部５３が連結部３３に固定された状態でフレーム１３ａをベース金具３０の第１支持部３４に押え付ける。
【００５０】
第１押え金具５１は、ベース部５３の棟側端部から下方に延出した断面略Ｌ字状の鉤部６１を有することが好ましい。鉤部６１は、フレーム１３ａの外側に張り出した鉤部１５ａに引っ掛かり、フレーム１３ａ及び連結部３３に対する第１押え金具５１の取り付け性を向上させる。また、第１押え金具５１のベース部５３には、連結部３３の軒側端部に対応する部分に上方に突出した凸部５６（図６，７参照）が形成されていることが好ましい。凸部５６を設けることで、例えば第２押え金具５２を連結部３３に固定する際、第２押え金具５２の軒側端部が凸部５６に当接して第２押え金具５２が第１押え金具５１に支持されるため、第２押え金具５２の取り付けが容易になる。
【００５１】
第２押え金具５２は、連結部３３との間に第１押え金具５１を介在させた状態で連結部３３上に配置されるベース部５７と、ベース部５７の棟側端部から棟側に延出した押え部５８とを有することが好適である。ここで、押え部５８とはフレーム１３ｂの下部に当接する部分を意味する。ボルト４３が挿通される貫通孔６０は、ベース部５７に形成されている。第２押え金具５２は、例えば連結部３３の棟側端部に対応する部分で下方に小さく折れ曲がり、当該折れ曲がり部から棟側に延出した押え部５８を有する。押え部５８は、フレーム１３ｂの外溝１８ｂに挿し込まれ、ベース部５７が連結部３３に固定された状態でフレーム１３ｂの底板をベース金具３０の第２支持部３５に押え付ける。また、押え部５８は先端部分が上方に折り曲げられており、外溝１８ｂに強く嵌合する。
【００５２】
第２押え金具５２は、例えばベース部５７の棟側端部から上方に延出した断面略Ｔ字状のレール部５９を有する。レール部５９には、カバー７０を構成するジョイント金具８０の爪部８２が引っ掛けられて係合し、これにより、第２押え金具５２にカバー７０が固定される。カバー７０は、爪部８２がレール部５９に係合した状態で桁方向にスライド可能である。このため、第２押え金具５２に対するカバー７０の取り付け及び位置合わせが容易である。なお、第２押え金具５２及びカバー７０には、他の構造を有する係合部が設けられていてもよい。
【００５３】
取り付け器具２０は、上述の通りフレーム１３ｂの軒側端部に取り付けられるカバー７０を備えることが好適である。カバー７０は、フレーム１３ｂの軒側端部、ボルト４３、ベース金具３０等を隠蔽して太陽光発電装置１０の意匠性を向上させる。また、カバー７０は、表側から見たときに屋根材２の軒側垂れ４に類似する形状を有し、太陽光発電装置１０と屋根材２の一体感を高める機能を有する。本実施形態では、太陽光発電装置１０の桁方向両側に配置される屋根材２の軒側垂れ４と桁方向に並ぶようにカバー７０が取り付けられている。
【００５４】
カバー７０は、カバー本体７１と、カバー本体７１の裏側に設けられたジョイント金具８０とを有することが好適である。カバー本体７１は、例えば屋根材２の軒側垂れ４を模擬した外観形状を呈するベース部７２と、ベース部７２の棟側端部から下方に延出した断面略Ｌ字状の鉤部７３とを含む。カバー本体７１は、第１押え金具５１と略同一の長さを有する長尺状の部材であることが好ましい。他方、ジョイント金具８０は、長さがカバー本体７１よりも短く、１つのカバー本体７１に対して２つ設けられ、各第２押え金具５２にそれぞれ固定されることが好ましい。
【００５５】
ベース部７２は、フレーム１３ｂの上端部と略同じ高さからフレーム１３ａに当接する押え部５４の近傍に亘って設けられることが好適である。ベース部７２は、棟側端部からベース金具３０の連結部３３と略同じ角度で下方に向かって傾斜し、途中で折れ曲がって押え部５４の近傍まで略真っ直ぐに延びた断面略Ｌ字形状を有する。ベース部７２の裏面には、例えば鉤部７３の先端部と略棟軒方向に並ぶ位置に凸部７４（図６，７参照）が形成されている。凸部７４は、ジョイント金具８０に当接して当該金具の上方への移動を防止し、カバー本体７１に対するジョイント金具８０の組み付けを容易にする。
【００５６】
鉤部７３は、ジョイント金具８０の後述する鉤部８３と係合する。鉤部７３は、例えばフレーム１３ｂの上端部から鉤部１５ｂを超えて下方に延び、先端部の近傍で棟側に折れ曲がっている。鉤部７３は、フレーム１３ｂの鉤部１５ｂに密接する形状を有することが好ましい。これにより、カバー７０とフレーム１３ｂの間から雨水等が太陽電池モジュール１１Ｂの裏側に浸入することを抑制できる。
【００５７】
ジョイント金具８０は、例えば断面略Ｌ字状のベース部８１と、ベース部８１の棟側端部に設けられた鉤部８３とを有する。ベース部８１は、棟側部分が棟軒方向に延び、軒側部分がカバー本体７１のベース部７２の裏面に沿って下方に延びている。ベース部７２の凸部７４は、ベース部８１の折れ曲がり部に当接している。また、ベース部８１の下端部は上方に折れ曲がり、第１押え金具５１の凸部５６に当接していることが好ましい。これにより、カバー７０と押え金具５０の間に隙間がなくなり、雨水等が太陽電池モジュール１１の裏側に侵入することが抑制される。
【００５８】
鉤部８３は、例えばベース部８１の棟側端部から上方に突出している。鉤部８３は、ベース部８１との間にカバー本体７１の鉤部７３の先端部を挿入可能な隙間をあけて断面略Ｌ字状に形成されている。カバー本体７１とジョイント金具８０は、鉤部７３，８３によって互いに係合され、さらにネジ８４を用いて互いに固定されることが好適である。ネジ８４には、例えばドリルネジが用いられる。ネジ８４は、カバー本体７１の表側からベース部７２，８１を貫通して取り付けられる。
【００５９】
ジョイント金具８０は、ベース部８１の棟側端部に設けられた一対の爪部８２を有することが好適である。爪部８２は、ベース部８１の棟側端部から下方に突出し、ベース部８１との間にレール部５９を挿通可能な隙間をあけて断面略Ｌ字状に形成されている。カバー７０は、第２押え金具５２の長手方向端部（桁方向端部）からレール部５９をベース部８１と爪部８２の間に挿通させることで第２押え金具５２に取り付けることができる。
【００６０】
図８及び図９は、太陽光発電装置１０の棟側端部に配置される太陽電池モジュール１１の棟側端部の取り付け構造を示す図である。図８は、図３中のＢＢ線断面図であって、棟端ベース金具１００及び当該金具に固定される棟端押え金具１２０等の断面形状を示す。図９は各金具の分解斜視図である。以下では、中間部の取り付け構造との相違点を主に説明する。
【００６１】
図８及び図９に例示するように、棟端ベース金具１００は、太陽電池モジュール１１の棟側端部を支持する支持部１０４を含む一対の立壁部１０２（棟端立壁部）を有し、ベースプレート２１上で当該モジュールよりも棟側に位置する屋根材２の下に設置される。支持部１０４には太陽電池モジュール１１のフレーム１３ａが載せられ、フレーム１３ａは棟端押え金具１２０及びボルト１１２を用いて棟端ベース金具１００に固定される。
【００６２】
棟端ベース金具１００は、ベース金具３０と同様に、ベースプレート２１に当接し、野地板３に固定される一対の脚部１０１と、各脚部１０１上に立設した一対の立壁部１０２と、各立壁部１０２同士を連結する連結部１０３とを有することが好適である。各脚部１０１には貫通孔１１０が形成されており、脚部１０１は貫通孔１１０に挿通されるネジ１１１によって野地板３との間にベースプレート２１を介在させた状態で野地板３に直接固定される。
【００６３】
支持部１０４は、立壁部１０２の軒側部分に形成された太陽電池モジュール１１を支持する壁部である。支持部１０４は、ベース金具３０の第１支持部３４と同様に、フレーム１３ａが嵌る凹部１０６を有することが好適である。また、支持部１０４の凹部１０６の底にあたる部分には複数の突起１０７が形成されている。そして、フレーム１３ａは凹部１０６に嵌め込まれ、突起１０７の上に載せられている。
【００６４】
立壁部１０２の棟側部分、即ち屋根材２の下に設置される部分には、支持部１０４よりも高い棟側壁部１０５が形成されている。例えば、棟側壁部１０５の軒側端部と、支持部１０４のフレーム１３ａが載せられる部分（最も高い部分）の高さの差は、フレーム１３ａの高さと略同一である。立壁部１０２は棟軒方向の全長に亘って支持部１０４と同じ高さとしてもよいが、立壁部１０２にかかる段差を設けることで、例えば太陽光発電装置１０とその棟側に配置される屋根材２との一体感が向上し、また単純な構造の棟端押え金具１２０でフレーム１３ａをしっかり固定できる。棟側壁部１０５は、棟側から軒側に向かってやや高くなり、その上端は太陽電池モジュール１１の受光面と略平行に形成されることが好ましい。
【００６５】
連結部１０３は、各棟側壁部１０５の上端部同士を連結し、例えば野地板３と略平行に配置される。連結部１０３には、連結部３３の場合と同様に、ボルト１１２が挿通されるネジ孔１０８（図９参照）が形成されている。また、連結部１０３の棟側端部には、連結部１０３を補強する壁部１０９が形成されている。
【００６６】
棟端押え金具１２０は、上述のようにフレーム１３ａを棟端ベース金具１００に固定するための金具であって、ボルト１１２を用いて連結部１０３に固定される。棟端押え金具１２０は、連結部１０３上に設置されるベース部１２１と、ベース部１２１の軒側端部から軒側に延出した押え部１２２とを有することが好適である。ベース部１２１には、ボルト１１２が挿通される貫通孔１２３（図９参照）が形成されている。棟端押え金具１２０は、フレーム１３ａと略同一の長さを有する長尺状の部材であることが好ましい。棟端押え金具１２０は、第１押え金具５１の場合と同様に、ベース部１２１の棟側端部から下方に延出した断面略Ｌ字状の鉤部１２４を有する。
【００６７】
図８に示す例では、棟側壁部１０５の上端が太陽電池モジュール１１の受光面と略平行に形成されており、棟端押え金具１２０のベース部１２１は、棟側壁部１０５の上端に沿って略平坦に形成されている。押え部１２２は、ベース部１２１と同様に、太陽電池モジュール１１の受光面と略平行に延び、フレーム１３ａの上端部に密接可能な形状を有する。押え部１２２は、ベース部１２１が連結部１０３に固定された状態でフレーム１３ａを支持部１０４に押え付ける。なお、棟端押え金具１２０の上には屋根材２が配置される。当該屋根材２は、軒側垂れ４の下端がベース部１２１の軒側端部近傍に位置するように配置される。当該屋根材２は、例えば図示しない瓦桟により支持されるが、軒側垂れ４は棟端押え金具１２０に当接していてもよい。
【００６８】
図１０及び図１１は、太陽光発電装置１０の軒側端部に配置される太陽電池モジュール１１の軒側端部の取り付け構造を示す図である。図１０は、図３中のＣＣ線断面図であって、軒端ベース金具２００及び当該金具に固定される軒カバー２２０等の断面形状を示す。図１１は各金具の分解斜視図である。
【００６９】
図１０及び図１１に例示するように、軒端ベース金具２００は、ベース金具３０と同様に、一対の脚部２０１と、脚部２０１上に立設した一対の立壁部２０２と、各立壁部２０２の上端部同士を連結する連結部２０３とを有することが好適である。各脚部２０１には貫通孔２０８（図１１参照）が形成されており、脚部２０１は貫通孔２０８に挿通されるネジ２０９によって野地板３との間にベースプレート２１を介在させた状態で野地板３に直接固定される。立壁部２０２には太陽電池モジュール１１のフレーム１３ｂが載せられ、フレーム１３ｂは第２押え金具５２及びボルト２１０を用いて軒端ベース金具２００に固定される。立壁部２０２のフレーム１３ｂが載せられる部分には複数の突起２０４が形成されている。
【００７０】
軒端ベース金具２００は、立壁部２０２が脚部２０１よりも軒側に大きく延びている点で、脚部３１と立壁部３２の棟軒方向長さが同じであるベース金具３０と異なる。そして、立壁部２０２の軒側端部に第２押え金具５２等が固定される連結部２０３が設けられている。第２押え金具５２は、連結部２０３との間に後述する軒カバー２２０のベース部２２１を介在させた状態で連結部２０３に固定される。屋根１の軒先には図示しない鼻隠し板等が設けられるため、軒端ベース金具２００ではネジ２０９が取り付けられる脚部２０１を金具の棟側部分のみに設け、ネジ２０９により鼻隠し板等が損傷することを防止している。
【００７１】
図１０に示す例では、屋根１の軒先に軒先唐草５が設けられている。軒先唐草５は、ベースプレート２１と野地板３の間に挿し込まれ、図示しないネジを用いて野地板３に固定される。なお、ベースプレート２１は軒先唐草５が挿し込まれた部分が盛り上がっている。軒端ベース金具２００は、脚部２０１よりも軒側にベースプレート２１に当接する脚部２０７を有する。脚部２０７にはネジ２０９が取り付けられず、脚部２０７はベースプレート２１の盛り上がった部分に当接している。
【００７２】
連結部２０３には、ベース金具３０の連結部３３と同様に、ボルト２１０が取り付けられるネジ孔２０５（図１１参照）が形成されている。また、連結部２０３は、ボルト２１０の取り外しを考慮して棟側から軒側に向かって下方に傾斜しており、連結部２０３の棟側端部には壁部２０６が形成されている。フレーム１３ｂの外溝１８ｂに挿し込まれる第２押え金具５２は、ボルト２１０により連結部２０３に固定される。本実施形態では、中間部の取り付け構造の場合と同様に、太陽電池モジュール１１の軒側端部にカバー７０が取り付けられ、カバー７０は第２押え金具５２を介して連結部２０３に固定されている。
【００７３】
カバー７０の下には、軒カバー２２０を取り付けることが好適である。軒カバー２２０は、上述の通りカバー７０と略同一の長さを有する長尺状の部材であって、カバー７０の下から野地板３までの隙間を覆い、太陽光発電装置１０及び屋根１の意匠性を向上させる。軒カバー２２０は、連結部２０３上に設置されるベース部２２１を有し、ベース部２２１には、棟側端部にボルト２１０が挿通される貫通孔２２２（図１１参照）が形成されている。ベース部２２１は、途中で下方に折れ曲がり、ベース部２２１の表面がカバー７０の表面と略面一となるように断面略Ｌ字状に形成されている。図１０に示す例では、軒カバー２２０の下部にジョイント金具２２５が収容されるジョイント収容部２２４が設けられている。ジョイント金具２２５は、桁方向に隣接配置される軒カバー２２０同士を接続するための金具である。ジョイント金具２２５は、断面略Ｕ字形状を有し、同様に断面略Ｕ字形状を有するジョイント収容部２２４に収容され、ネジ２２６を用いてジョイント収容部２２４に固定されている。
【００７４】
以上のように、太陽光発電装置１０によれば、上記構成を備えた取り付け器具２０を用いることで屋根材２の段葺き形状に合わせて太陽電池モジュール１１を簡単に取り付けることができる。つまり、太陽光発電装置１０は施工が容易であり、太陽光発電装置１０が取り付けられた屋根１は太陽電池モジュール１１と屋根材２の一体感が高く、意匠性に優れている。また、太陽電池モジュール１１及びカバー７０の棟軒方向長さを屋根材２の棟軒方向ピッチＰ2に適合させることで、太陽光発電装置１０と屋根材２の一体感がさらに向上する。
【符号の説明】
【００７５】
１  屋根、２  屋根材、３  野地板、４  軒側垂れ、５  軒先唐草、１０  太陽光発電装置、１１，１１Ａ，１１Ｂ  太陽電池モジュール、１２  太陽電池パネル、１３  モジュールフレーム、１３ａ，１３ｂ  フレーム、１４ａ，１４ｂ  本体部、１５ａ，１５ｂ，１７ａ，１７ｂ  鉤部、１６ａ，１６ｂ，１８ａ  内溝、１８ｂ  外溝、２０  取り付け器具、２１  ベースプレート、２２，２３，２４  浮き止め、３０  ベース金具、３１  脚部、３２  立壁部、３３  連結部、３４  第１支持部、３５  第２支持部、３６  凹部、３７，３８  突起、３９  ネジ孔、４０  壁部、４１  貫通孔、４２  ネジ、４３  ボルト、５０  押え金具、５１  第１押え金具、５２  第２押え金具、５３，５７  ベース部、５４，５８  押え部、５５，６０  貫通孔、５６  凸部、５９  レール部、６１  鉤部、７０  カバー、７１  カバー本体、７２  ベース部、７３，８３  鉤部、７４  凸部、８０  ジョイント金具、８１  ベース部、８２  爪部、８４  ネジ、１００  棟端ベース金具、１０１  脚部、１０２  立壁部、１０３  連結部、１０４  支持部、１０５  棟側壁部、１０６  凹部、１０７  突起、１０８  ネジ孔、１０９  壁部、１１０  貫通孔、１１１  ネジ、１１２  ボルト、１２０  棟端押え金具、１２１  ベース部、１２２  押え部、１２３  貫通孔、１２４  鉤部、２００  軒端ベース金具、２０１，２０７  脚部、２０２  立壁部、２０３  連結部、２０４  突起、２０５  ネジ孔、２０６  壁部、２０８  貫通孔、２０９  ネジ、２１０  ボルト、２２０  軒カバー、２２１  ベース部、２２２  貫通孔、２２３  凸部、２２４  ジョイント収容部、２２５  ジョイント金具、２２６  ネジ
【図１】
0006620537.tif 000002
【図２】
0006620537.tif 000003
【図３】
0006620537.tif 000004
【図４】
0006620537.tif 000005
【図５】
0006620537.tif 000006
【図６】
0006620537.tif 000007
【図７】
0006620537.tif 000008
【図８】
0006620537.tif 000009
【図９】
0006620537.tif 000010
【図１０】
0006620537.tif 000011
【図１１】
0006620537.tif 000012